(57)【要約】【課題】画面上の子画面映像表示の移動または拡大、縮小に対応して、子画面枠を生成する子画面枠生成回路を提供することを目的とする。【解決手段】任意の手段で設定された枠表示オン／オフ制御設定値Ｓ１０６と子画面映像表示期間を示す子画面表示パルスＳ１０７とから子画面枠の左上端及び右上端の位置情報を検出する枠水平表示位置検出回路５０１及び枠垂直表示位置検出回路５０３を備え、その子画面枠の左上端及び右上端の位置情報に基づいて、枠の水平表示位置及び垂直表示位置を決定して、子画面枠を生成する。【選択図】      図５
2004221788.tif 000002
【特許請求の範囲】
【請求項１】
テレビ画面上の子画面に子画面枠を表示させるための子画面枠生成回路であって、
子画面映像の表示期間を示す信号を入力し、この信号から子画面枠の表示位置を検出する枠表示位置検出回路と、
上記枠表示位置検出回路が検出した上記子画面枠の表示位置に基づいて、枠表示信号を生成し出力する枠表示信号出力回路と、
を備えたことを特徴とする子画面枠生成回路。
【請求項２】
請求項１に記載の子画面枠生成回路において、
上記枠表示位置検出回路は、上記子画面映像の表示期間を示す信号から、前記子画面枠の表示位置として、子画面枠の左上端の位置情報を検出する、ことを特徴とする子画面枠生成回路。
【請求項３】
請求項１に記載の子画面枠生成回路において、
上記枠表示位置検出回路は、上記子画面映像の表示期間を示す信号から、前記子画面枠の表示位置として、子画面枠の左上端、及び右下端の位置情報を検出する、
ことを特徴とする子画面枠生成回路。
【請求項４】
請求項１に記載の子画面枠生成回路において、
上記枠表示位置検出回路は、
上記子画面映像の表示期間を示す信号から、水平方向の枠表示開始位置を検出する枠水平表示位置検出回路と、
上記子画面映像の表示期間を示す信号から、垂直方向の枠表示開始位置を検出する枠垂直表示位置検出回路とから構成され、
上記枠表示信号出力回路は、
上記枠水平表示位置検出回路により検出された枠水平表示開始位置と、外部から入力される枠水平幅設定値および子画面横幅設定値とに基づいて、水平方向の枠表示信号を出力する枠水平表示信号出力回路と、
上記枠垂直表示位置検出回路により検出された枠垂直表示開始位置と、外部から入力される枠垂直幅設定値および子画面縦横設定値とに基づいて、垂直方向の枠表示信号を出力する枠垂直表示信号出力回路と、から構成される、
ことを特徴とする子画面枠生成回路。
【請求項５】
請求項１に記載の子画面枠生成回路において、
上記枠表示位置検出回路は、
上記子画面映像の表示期間を示す信号から、水平方向の枠表示開始位置および枠表示終了位置を検出する枠水平表示位置検出回路と、
上記子画面映像の表示期間を示す信号から、垂直方向の枠表示開始位置および枠表示終了位置を検出する枠垂直表示位置検出回路とから構成され、
上記枠表示信号出力回路は、
上記枠水平表示位置検出回路により検出された枠水平表示開始位置および終了位置と、外部から入力される枠水平幅設定値とに基づいて、水平方向の枠表示信号を出力する枠水平表示信号出力回路と、
上記枠垂直表示位置検出回路により検出された枠垂直表示開始位置および終了位置と、外部から入力される枠垂直幅設定値とに基づいて、垂直方向の枠表示信号を出力する枠垂直表示信号出力回路と、から構成される、
ことを特徴とする子画面枠生成回路。
【発明の詳細な説明】
【０００１】
【発明の属する技術分野】
本発明は、画面上に子画面を表示する機能を有するテレビジョン受像機に関し、特に子画面に枠を重ねて表示させるための回路に関する。
【０００２】
【従来の技術】
近年、テレビジョン受像機は、その高機能化に伴い、親画面上に子画面を表示して２画面を同時に見ることができるピクチャーインピクチャー機能（ＰｉｎＰ機能またはＰＩＰ機能）を有するようになってきた。
【０００３】
このような機能を有するテレビジョン受像機では、子画面映像を生成する回路とともに、子画面枠を生成する子画面枠生成回路を別に備える。この子画面枠生成回路は、画面上に表示する子画面に対する枠を生成する回路で、従来の子画面枠生成回路では、予め任意の手段で設定された枠の位置に基づいて子画面枠を生成していた。
【０００４】
以下に、従来の子画面枠生成回路について説明する。
図９は、従来の子画面枠生成回路のブロック図を示すものである。
【０００５】
図９において、９００は従来の子画面枠生成回路、Ｓ１０１は親画面の水平同期信号、Ｓ１０２は１クロック期間が映像の１画素を示すドットクロック、Ｓ１０３は親画面の垂直同期信号、１０４はドットクロックのカウンタ回路、Ｓ１０４はカウンタ回路１０４から出力される水平カウンタ値、１０５は水平同期信号のカウンタ回路、Ｓ１０５はカウンタ回路１０５から出力される垂直カウンタ値、Ｓ１１０とＳ９０１は、それぞれ任意の手段で設定される、枠水平幅設定値と、枠水平表示位置設定値、Ｓ１１３とＳ９０３は、それぞれ任意の手段で設定される、枠垂直幅設定値と、枠垂直表示位置設定値、９０２は、水平カウンタ値Ｓ１０４と、枠水平幅設定値Ｓ１１０と、枠水平表示位置設定値Ｓ９０１と、を比較する枠水平表示信号出力回路、Ｓ１１２は枠の水平の表示期間を表す枠水平表示信号、９０４は、垂直カウンタ値Ｓ１０５と、枠垂直幅設定値Ｓ１１３と、枠垂直表示位置設定値Ｓ９０３と、を比較する枠垂直表示信号出力回路、Ｓ１１５は枠の垂直の表示期間を表す枠垂直表示信号、１１６は、枠水平表示信号Ｓ１１２と、枠垂直表示信号Ｓ１１５とを合成し、枠表示制御信号Ｓ１１６を出力する枠合成回路である。枠表示制御信号Ｓ１１６は、子画面枠を示す信号であり、この枠表示制御信号Ｓ１１６を生成することが子画面枠を生成することを意味する。
【０００６】
以上のように構成された子画面枠生成回路について、以下その動作について説明する。
まず、カウンタ回路１０４は、親画面の水平同期信号Ｓ１０１でリセットされ、ドットクロックＳ１０２でカウントアップ動作を行い、水平カウンタ値Ｓ１０４を出力する。
【０００７】
水平カウンタ値Ｓ１０４は、枠水平表示信号出力回路９０２で、任意の手段で設定された、枠の水平幅Ｓ１１０、および、枠の水平表示位置Ｓ９０１と、比較される。ここで任意の手段とは、マイクロコンピュータ等で、プログラムによって設定する手段や、通信装置等で設定する手段等のことを示す。
【０００８】
枠水平表示信号出力回路９０２から出力された枠水平表示信号Ｓ１１２は、枠合成回路１１６に入力される。
一方、枠垂直表示も、枠水平表示と同様の動作を行う。
【０００９】
カウンタ回路１０５は、親画面の垂直同期信号Ｓ１０３でリセットされ、親画面の水平同期信号Ｓ１０１でカウントアップ動作を行い、垂直カウンタ値Ｓ１０５を出力する。
【００１０】
垂直カウンタ値Ｓ１０５は、枠垂直表示信号出力回路９０４で、任意の手段で設定された枠の垂直幅Ｓ１１３、および、枠の垂直表示位置Ｓ９０３と、比較される。
【００１１】
枠垂直表示信号出力回路９０４から出力された枠垂直表示信号Ｓ１１５は、枠合成回路１１６に入力される。
枠合成回路１１６は、枠水平表示信号Ｓ１１２と、枠垂直表示信号Ｓ１１５とを合成し、枠表示制御信号Ｓ１１６を出力する。
【００１２】
次に、枠水平、垂直表示信号出力回路９０２、９０４について説明する。
図１０は、子画面枠の表示例を示すものである。
【００１３】
子画面枠を表示する前に、枠水平幅設定値Ｓ１１０、枠水平表示位置左端設定値Ｓ９０１＿１、枠水平表示位置右端設定値Ｓ９０１＿２、枠垂直幅設定値Ｓ１１３、枠垂直表示位置上端設定値Ｓ９０３＿１、枠垂直表示位置下端設定値Ｓ９０３＿２、これら６つの値を、予め任意の手段で設定する。
【００１４】
設定した６値から、それぞれ枠水平表示信号Ｓ１１２と、枠垂直表示信号Ｓ１１５と、を生成する。ここでは、枠水平表示位置左端設定値Ｓ９０１＿１を「１０」、枠水平表示位置右端設定値Ｓ９０１＿２を「２２」、枠水平幅設定値Ｓ１１０を「２」、と設定する。水平カウンタ値Ｓ１０４は、カウントアップ動作を行う。枠水平表示位置左端設定値Ｓ９０１＿１の値「１０」に達したら、枠水平表示信号Ｓ１１２はＨレベルになり、そこから、枠水平幅設定値Ｓ１１０の値「２」を加算した値「１２」に達したら、枠水平表示信号Ｓ１１２はＬレベルになる。
【００１５】
また、枠水平表示位置右端設定値Ｓ９０１＿２の値「２２」に達したら、枠水平表示信号Ｓ１１２はＨレベルになり、そこから、枠水平幅設定値Ｓ１１０の値「２」を加算した値「２４」に達したら、枠水平表示信号Ｓ１１２はＬレベルになる。
このように、表示ライン毎に枠水平表示信号Ｓ１１２の出力を繰り返すと、子画面の左右の枠が生成される。
【００１６】
枠垂直表示信号Ｓ１１５も、枠水平表示信号Ｓ１１２と同様に、垂直カウンタ値Ｓ１０５と枠垂直表示位置上端設定値Ｓ９０３＿１とが一致したら、枠垂直表示信号Ｓ１１５はＨレベルになり、垂直カウンタ値Ｓ１０５と、枠垂直表示位置上端設定値Ｓ９０３＿１、および枠垂直幅設定値Ｓ１１３の加算した値とが一致したら、枠垂直表示信号Ｓ１１５はＬレベルになる。
【００１７】
また、垂直カウンタ値Ｓ１０５と、枠垂直表示位置下端設定値Ｓ９０３＿２とが一致したら、枠垂直表示信号Ｓ１１５はＨレベルになり、垂直カウンタ値Ｓ１０５と、枠垂直表示位置下端設定値Ｓ９０３＿２および枠垂直幅設定値Ｓ１１３の加算した値とが一致したら、枠垂直表示信号Ｓ１１５はＬレベルになる。
このように枠垂直表示信号Ｓ１１５の出力を繰り返すと、子画面の上下の枠が生成される。
【００１８】
【特許文献１】
特開平７−１３１７３５号公報（第４頁〜第６頁、第３図）
【００１９】
【発明が解決しようとする課題】
しかしながら上記従来の構成では、子画面映像表示と、子画面枠表示の設定方法が、互いに独立したものであるため、図１１のように子画面を移動させたり、子画面の大きさを変化させたりする場合、子画面枠表示の設定を変更するタイミングによっては、子画面映像表示に対して子画面枠の表示が遅れてしまうことがある。
【００２０】
本発明は、上記従来の問題点を解決するためになされたもので、子画面枠表示の設定を変更することなく、自在に子画面を移動させたり、大きさを変化させたりすることを可能にする、子画面枠生成回路を提供することを目的とする。
【００２１】
【課題を解決するための手段】
上記課題を解決するために、本発明の請求項１にかかる子画面枠生成回路は、テレビ画面上の子画面に子画面枠を表示させるための子画面枠生成回路であって、子画面映像の表示期間を示す信号を入力し、この信号から子画面枠の表示位置を検出する枠表示位置検出回路と、上記枠表示位置検出回路が検出した上記子画面枠の表示位置に基づいて、枠表示信号を生成し出力する枠表示信号出力回路と、を備えたことを特徴とするものである。
【００２２】
本発明の請求項２にかかる子画面枠生成回路は、請求項１に記載の子画面枠生成回路において、上記枠表示位置検出回路は、上記子画面映像の表示期間を示す信号から、上記子画面枠の表示位置として、子画面枠の左上端の位置情報を検出する、ことを特徴とするものである。
【００２３】
本発明の請求項３にかかる子画面枠生成回路は、請求項１に記載の子画面枠生成回路において、上記枠表示位置検出回路は、上記子画面映像の表示期間を示す信号から上記子画面枠の表示位置として、子画面枠の左上端、及び右下端の位置情報を検出する、ことを特徴とするものである。
【００２４】
本発明の請求項４にかかる子画面枠生成回路は、請求項１に記載の子画面枠生成回路において、上記枠表示位置検出回路は、上記子画面映像の表示期間を示す信号から、水平方向の枠表示開始位置を検出する枠水平表示位置検出回路と、上記子画面映像の表示期間を示す信号から、垂直方向の枠表示開始位置を検出する枠垂直表示位置検出回路とから構成され、上記枠表示信号出力回路は、上記枠水平表示位置検出回路により検出された枠水平表示開始位置と、外部から入力される枠水平幅設定値および子画面横幅設定値とに基づいて、水平方向の枠表示信号を出力する枠水平表示信号出力回路と、上記枠垂直表示位置検出回路により検出された枠垂直表示開始位置と、外部から入力される枠垂直幅設定値および子画面縦横設定値とに基づいて、垂直方向の枠表示信号を出力する枠垂直表示信号出力回路と、から構成される、ことを特徴とするものである。
【００２５】
本発明の請求項５にかかる子画面枠生成回路は、請求項１に記載の子画面枠生成回路において、上記枠表示位置検出回路は、上記子画面映像の表示期間を示す信号から、水平方向の枠表示開始位置および枠表示終了位置を検出する枠水平表示位置検出回路と、上記前記子画面映像の表示期間を示す信号から、垂直方向の枠表示開始位置および枠表示終了位置を検出する枠垂直表示位置検出回路とから構成され、上記枠表示信号出力回路は、上記枠水平表示位置検出回路により検出された枠水平表示開始位置および終了位置と、外部から入力される枠水平幅設定値とに基づいて、水平方向の枠表示信号を出力する枠水平表示信号出力回路と、上記枠垂直表示位置検出回路により検出された枠垂直表示開始位置および終了位置と、外部から入力される枠垂直幅設定値とに基づいて、垂直方向の枠表示信号を出力する枠垂直表示信号出力回路と、から構成される、ことを特徴とするものである。
【００２６】
【発明の実施の形態】
以下、本発明の実施形態について、図面を参照しながら説明する。
【００２７】
（実施の形態１）
図１は、本発明の実施の形態１による子画面枠生成回路のブロック図を示すものである。図１において、１００は本発明の実施の形態１の子画面枠生成回路、Ｓ１０１は親画面の水平同期信号、Ｓ１０２は１クロック期間が映像の１画素を示すドットクロック、Ｓ１０３は親画面の垂直同期信号、１０４はドットクロックのカウンタ回路、Ｓ１０４はカウンタ回路１０４から出力される水平カウンタ値、１０５は水平同期信号のカウンタ回路、Ｓ１０５はカウンタ回路１０５から出力される垂直カウンタ値、Ｓ１０６は任意の手段で枠の表示をオン／オフ制御する設定値、Ｓ１０７は子画面映像が表示している時、Ｈレベルを示す子画面表示パルス、１０８は枠の水平表示位置の値を検出する枠水平表示位置検出回路、Ｓ１０８は枠の水平表示位置、１０９は枠の垂直表示位置の値を検出する枠垂直表示位置検出回路、Ｓ１０９は枠の垂直表示位置、Ｓ１１０とＳ１１１はそれぞれ任意の手段で設定される枠水平幅設定値と、子画面横幅設定値、１１２は枠水平表示位置Ｓ１０８と、枠水平幅設定値Ｓ１１０と、子画面横幅設定値Ｓ１１１と、を比較する枠水平表示信号出力回路、Ｓ１１２は枠の水平の表示期間を表す枠水平表示信号、Ｓ１１３とＳ１１４は、それぞれ任意の手段で設定される枠垂直幅設定値と、子画面縦幅設定値、１１５は枠垂直表示位置Ｓ１０９と、枠垂直幅設定値Ｓ１１３と、子画面縦幅設定値Ｓ１１４と、を比較する枠垂直表示信号出力回路、Ｓ１１５は枠の垂直の表示期間を表す枠垂直表示信号、１１６は枠水平表示信号Ｓ１１２と、枠垂直表示信号Ｓ１１５とを合成し、枠表示制御信号Ｓ１１６を出力する枠合成回路である。枠表示制御信号Ｓ１１６は子画面枠を示す信号であり、この枠表示制御信号Ｓ１１６を生成することが子画面枠を生成することを意味する。
【００２８】
本実施の形態１の子画面枠生成回路は、図９の子画面枠生成回路の構成から、子画面表示パルスＳ１０７と、枠表示オン／オフ制御Ｓ１０６と、を含んだ枠表示位置検出回路１０８，１０９を設け、かつ、枠表示位置設定値Ｓ９０１，Ｓ９０３の代わりに、子画面横／縦幅設定値Ｓ１１１，Ｓ１１４を入力する枠表示信号出力回路１１２，１１５を設けて、各設定値の初期設定だけで枠を生成するようにしている。
【００２９】
以上のように構成された子画面枠生成回路について以下その動作を説明する。
まず、カウンタ回路１０４は親画面の水平同期信号Ｓ１０１でリセットされ、ドットクロックＳ１０２でカウントアップ動作を行い、水平カウンタ値Ｓ１０４を出力する。枠水平表示位置検出回路１０８は、子画面表示パルスＳ１０７の立上り時の水平カウンタ値Ｓ１０４の値を保持し、枠水平表示位置Ｓ１０８を出力する。水平カウンタ値Ｓ１０４は、枠水平表示信号出力回路１１２で、枠水平表示位置Ｓ１０８と、任意の手段で設定された枠の水平幅Ｓ１１０、および、子画面の横幅Ｓ１１１と、比較される。枠水平表示信号出力回路１１２から出力された枠水平表示信号Ｓ１１２は、枠合成回路１１６に入力される。
【００３０】
一方、枠垂直表示も枠水平表示と同様の動作を行う。カウンタ回路１０５は、親画面の垂直同期信号Ｓ１０３でリセットされ、親画面の水平同期信号Ｓ１０１でカウントアップ動作を行い、垂直カウンタ値Ｓ１０５を出力する。枠垂直表示位置検出回路１０９は、子画面表示パルスＳ１０７の立上り時の垂直カウンタ値Ｓ１０５の値を保持し、枠垂直表示位置Ｓ１０９を出力する。垂直カウンタ値Ｓ１０５は、枠垂直表示信号出力回路１１５で、枠垂直表示位置Ｓ１０９と、任意の手段で設定された枠の垂直幅Ｓ１１３、および、子画面の縦幅Ｓ１１４と、比較される。枠垂直表示信号出力回路１１５から出力された枠垂直表示信号Ｓ１１５は、枠合成回路１１６に入力される。枠合成回路１１６は、枠水平表示信号Ｓ１１２と枠垂直表示信号Ｓ１１５とを合成し、枠表示制御信号Ｓ１１６を出力する。
【００３１】
次に、本発明の実施の形態１における、枠水平、垂直表示信号出力回路１１２、１１５について説明する。図２は、子画面枠の表示例を示すものである。
子画面枠を表示する前に、枠水平幅設定値Ｓ１１０、子画面横幅設定値Ｓ１１１、枠垂直幅設定値Ｓ１１３、子画面縦幅設定値Ｓ１１４、これら４つの値を予め任意の手段で設定する。設定した４値から、それぞれ枠水平表示信号Ｓ１１２と枠垂直表示信号Ｓ１１５を生成する。ここでは子画面横幅設定値Ｓ１１１を「１０」、枠水平幅設定値Ｓ１１０を「２」と設定する。水平カウンタ値Ｓ１０４は、カウントアップ動作を行う。枠水平表示位置検出回路１０８から、子画面表示パルスＳ１０７の立上り時の水平カウンタ値Ｓ１０４の値が、枠水平表示位置Ｓ１０８として、枠水平表示信号出力回路１１２に与えられる。ここでは、枠水平表示位置Ｓ１０８を「１０」とする。水平カウンタ値Ｓ１０４がこの値に達したら、枠水平表示信号Ｓ１１２はＨレベルになり、そこから枠水平幅設定値Ｓ１１０の値「２」を加算した値「１２」に達したら、枠水平表示信号Ｓ１１２はＬレベルになる。また、そこから子画面横幅設定値Ｓ１１１の値「１０」を加算した値「２２」に達したら、枠水平表示信号Ｓ１１２はＨレベルになり、そこから枠水平幅設定値Ｓ１１０の値「２」を加算した値「２４」に達したら、枠水平表示信号Ｓ１１２はＬレベルになる。
【００３２】
このように表示ライン毎に、枠水平表示信号Ｓ１１２の出力を繰り返すと、子画面の左右の枠が生成される。
【００３３】
枠垂直表示信号Ｓ１１５も、枠水平表示信号Ｓ１１２と同様に、垂直カウンタ値Ｓ１０５と、枠垂直表示位置Ｓ１０９とが一致したら、枠垂直表示信号Ｓ１１５はＨレベルになり、垂直カウンタ値Ｓ１０５と、枠垂直表示位置Ｓ１０９および枠垂直幅設定値Ｓ１１３の加算した値とが一致したら、枠垂直表示信号Ｓ１１５はＬレベルになる。また、垂直カウンタ値Ｓ１０５と、枠垂直表示位置Ｓ１０９および枠垂直幅設定値Ｓ１１３および子画面縦幅設定値Ｓ１１４の加算した値とが一致したら、枠垂直表示信号Ｓ１１５はＨレベルになり、垂直カウンタ値Ｓ１０５と、枠垂直表示位置Ｓ１０９、枠垂直幅設定値Ｓ１１３、子画面縦幅設定値Ｓ１１４、および枠垂直幅設定値Ｓ１１３の加算した値とが一致したら、枠垂直表示信号Ｓ１１５はＬレベルになる。
【００３４】
このように枠垂直表示信号Ｓ１１５の出力を繰り返すと、子画面の上下の枠が生成される。
【００３５】
以上のようにして生成された枠表示制御信号Ｓ１１６は、子画面映像の位置が移動された場合でも、枠水平／垂直幅設定値Ｓ１１０，Ｓ１１３および子画面横／縦幅設定値Ｓ１１１，Ｓ１１４の４値を変更することなく、さらに子画面映像表示期間を表す子画面表示パルスＳ１０７により生成される。よって、この枠表示制御信号Ｓ１１６を用いることにより、子画面映像が移動された時でも、子画面枠をその移動に追従して表示することができる。
【００３６】
次に本発明の実施の形態１の枠水平、垂直表示位置検出回路１０８、１０９について説明する。
枠水平表示位置検出回路１０８の機能は、水平カウンタ値Ｓ１０４の値を保持させる回路であるが、子画面表示パルスＳ１０７は、水平カウンタ値Ｓ１０４をカウントアップ動作させているドットクロックＳ１０２に対して非同期のため、子画面のライン毎にドットクロックＳ１０２と子画面表示パルスＳ１０７との位相差が異なる。ライン毎の子画面表示パルスの立上りタイミングで水平カウンタ値Ｓ１０４の値を保持させると、枠水平表示位置Ｓ１０８の値がライン毎に異なり、この状態で枠制御信号を生成すると枠の縦線が真っ直ぐにならず、水平方向にドットずれが起こる。従って、枠水平表示位置Ｓ１０８は常に枠の左上端の位置情報を持たせて、水平方向のドットずれの現象を防ぐ必要がある。本発明の枠水平、垂直表示位置検出回路１０８，１０９はこの機能を設けている。
【００３７】
図３は、本発明の実施の形態１における、枠水平表示位置検出回路１０８のブロック図を示すものである。図３において、３０１は子画面表示パルスＳ１０７から立上りエッジを検出する前エッジ検出回路、Ｓ３０１は前エッジ検出回路３０１から出力される子画面表示前エッジ、３０２は枠表示オン／オフ制御設定値Ｓ１０６を入力して枠の水平表示位置を制御する信号Ｓ３０２を出力する枠水平表示位置制御回路、３０３は論理積回路、Ｓ３０３は子画面表示前エッジＳ３０１と、枠水平表示位置制御信号Ｓ３０２とを論理積処理されたカウンタ値保持パルス、３０４はカウンタ値保持パルスＳ３０３のエッジ信号で水平カウンタ値Ｓ１０４の値を保持するカウンタ値保持回路である。
【００３８】
以上のように構成された枠水平表示位置検出回路１０８について、以下その動作を図３，４を用いて説明する。
図４は、本発明の実施の形態１における、枠水平表示位置検出回路のタイミング図を示すものである。
【００３９】
まず、前エッジ検出回路３０１は、子画面表示パルスＳ１０７を入力し、立上りを表す子画面表示前エッジＳ３０１を出力する。枠水平表示位置制御回路３０２は、子画面表示前エッジＳ３０１を入力し、枠水平表示位置制御信号Ｓ３０２を出力する。枠水平表示位置制御信号Ｓ３０２は、枠表示オン／オフ制御設定値Ｓ１０６が枠表示オフ（Ｌレベル）の時にＨレベルになり、この後の１度目の子画面表示前エッジＳ３０１が来るまでＨレベルを保つようにする。そして、１度目の子画面表示前エッジＳ３０１が来た後Ｌレベルになり、枠表示オン／オフ制御設定値Ｓ１０６が枠表示オフ（Ｌレベル）に設定するまでＬレベルを保つようにする。この動作を繰り返して生成された枠水平表示位置制御信号Ｓ３０２と、子画面表示前エッジＳ３０１とを、論理積回路３０３が、論理積演算して、カウンタ値保持パルスＳ３０３を生成する。カウンタ値保持回路３０４は、このカウンタ値保持パルスＳ３０３が示すエッジタイミングで水平カウンタ値Ｓ１０４を保持し、このカウンタ値を枠水平表示位置Ｓ１０８として出力する。以上のことから、子画面表示前エッジＳ３０１は子画面のライン毎にエッジがあるのに対して、カウンタ値保持パルスＳ３０３は、枠水平表示位置制御信号Ｓ３０２によって子画面の２ライン目以下のエッジをＬレベルに抑えることとなる。これにより、枠表示オン／オフ制御設定値Ｓ１０６を枠表示オフ（Ｌレベル）に設定するまで、枠水平表示位置Ｓ１０８として、常に枠の左端の位置情報を保つことができる。
【００４０】
枠垂直表示位置検出回路１０９も、枠水平表示位置検出回路１０８と同等の動作をし、枠表示オン／オフ制御設定値Ｓ１０６を枠表示オフ（Ｌレベル）に設定するまで、枠垂直表示位置Ｓ１０９は、常に、枠の上端の位置情報を保つ。
【００４１】
以上の動作によって、子画面表示パルスＳ１０７だけで子画面枠の左上端の位置情報を検出することが出来、子画面表示パルスＳ１０７とドットクロックＳ１０２との位相差による子画面枠の水平方向のドットずれ現象も防ぐことができる。
【００４２】
このような、本実施の形態１による子画面生成回路においては、子画面映像の表示期間を示す子画面表示パルスＳ１０７から、子画面枠の左端の位置情報を検出して保持する枠水平表示位置検出回路１０８と、子画面映像の表示期間を示す子画面表示パルスＳ１０７から、子画面枠の上端の位置情報を検出して保持する枠垂直表示位置検出回路１０９と、枠水平表示位置検出回路１０８が検出した位置情報、枠水平幅設定値Ｓ１１０、および子画面縦幅設定値Ｓ１１１に基づいて、枠の水平方向の表示期間を示す枠水平表示信号Ｓ１１２を生成する枠水平表示信号出力回路１１２と、枠垂直表示位置検出回路１０９が検出した位置情報、枠垂直幅設定値Ｓ１１３、および子画面縦幅設定値Ｓ１１４に基づいて枠の垂直方向の表示期間を示す枠垂直表示信号を生成する枠垂直表示信号出力回路１１５と備えたことから、子画面映像の位置が移動された場合でも、枠水平／垂直幅設定値Ｓ１１０，Ｓ１１３、および子画面横／縦幅設定値Ｓ１１１，Ｓ１１４、の４値を変更することなく、子画面枠をその移動に追従して表示させることができ、子画面表示パルスＳ１０７と、ドットクロックＳ１０２との位相差が異なることにより生じる子画面枠の水平方向のドットずれ現象も防ぐことができる。
【００４３】
（実施の形態２）
図５は本発明の実施の形態２における子画面枠生成回路のブロック図を示すものである。図５において、５００は本発明の実施の形態２の子画面枠生成回路、Ｓ１０１は親画面の水平同期信号、Ｓ１０２は１クロック期間が映像の１画素を示すドットクロック、Ｓ１０３は親画面の垂直同期信号、１０４はドットクロックのカウンタ回路、Ｓ１０４はカウンタ回路１０４から出力される水平カウンタ値、１０５は水平同期信号のカウンタ回路、Ｓ１０５はカウンタ回路１０５から出力される垂直カウンタ値、Ｓ１０６は任意の手段で枠の表示をオン／オフ制御する設定値、Ｓ１０７は子画面映像が表示している時Ｈレベルを示す子画面表示パルス、５０１は枠の水平表示位置の値を検出する枠水平表示位置検出回路、Ｓ５０１は枠の左端表示位置、Ｓ５０２は枠の右端表示位置、５０３は枠の垂直表示位置の値を検出する枠垂直表示位置検出回路、Ｓ５０３は枠の上端表示位置、Ｓ５０４は枠の下端表示位置、Ｓ１１０は任意の手段で設定される枠水平幅設定値、５０５は枠左端表示位置Ｓ５０１と枠右端表示位置Ｓ５０２と枠水平幅設定値Ｓ１１０とを比較する枠水平表示信号出力回路、Ｓ１１２は枠の水平の表示期間を表す枠水平表示信号、Ｓ１１３は任意の手段で設定される枠垂直幅設定値、５０６は枠上端表示位置Ｓ５０３と枠下端表示位置Ｓ５０４と枠垂直幅設定値Ｓ１１３とを比較する枠垂直表示信号出力回路、Ｓ１１５は枠の垂直の表示期間を表す枠垂直表示信号、１１６は枠水平表示信号Ｓ１１２と枠垂直表示信号Ｓ１１５とを合成し、枠表示制御信号Ｓ１１６を出力する枠合成回路である。
【００４４】
本実施の形態２の子画面枠生成回路が、図１の実施の形態１の子画面枠生成回路の構成と異なるのは、子画面横／縦幅設定値Ｓ１１１，Ｓ１１４をなくし、代わりに枠水平／垂直表示位置保持回路５０１，５０３から、枠左端／右端表示位置Ｓ５０１，Ｓ５０２と、枠上端／下端表示位置Ｓ５０３，Ｓ５０４とを、出力させるようにした点である。
【００４５】
以上のように構成された子画面枠生成回路について、以下その動作を説明する。
まず、カウンタ回路１０４は親画面の水平同期信号Ｓ１０１でリセットされ、ドットクロックＳ１０２でカウントアップ動作を行い、水平カウンタ値Ｓ１０４を出力する。枠水平表示位置検出回路５０１は、子画面表示パルスＳ１０７の立上り時と、立下り時の水平カウンタ値Ｓ１０４の値を保持し、次の親画面垂直同期信号Ｓ１０３が来た時に、枠左端表示位置Ｓ５０１と、枠右端表示位置Ｓ５０２とを出力する。水平カウンタ値Ｓ１０４は、枠水平表示信号出力回路５０５で、枠左端表示位置Ｓ５０１、枠右端表示位置Ｓ５０２、および、任意の手段で設定された枠の水平幅Ｓ１１０と、比較される。枠水平表示信号出力回路５０５から出力された枠水平表示信号Ｓ１１２は、枠合成回路１１６に入力される。
【００４６】
一方、枠垂直表示も枠水平表示と同様の動作を行う。カウンタ回路１０５は、親画面の垂直同期信号Ｓ１０３でリセットされ、親画面の水平同期信号Ｓ１０１でカウントアップ動作を行い、垂直カウンタ値Ｓ１０５を出力する。枠垂直表示位置検出回路５０３は、子画面表示パルスＳ１０７の立上り時と、下り立時の垂直カウンタ値Ｓ１０５の値を保持し、次の親画面垂直同期信号Ｓ１０３が来た時に、枠上端表示位置Ｓ５０３と、枠下端表示位置Ｓ５０４とを出力する。垂直カウンタ値Ｓ１０５は、枠垂直表示信号出力回路５０６で、枠上端表示位置Ｓ５０３、枠下端表示位置Ｓ５０４、および、任意の手段で設定された枠の垂直幅Ｓ１１３と、比較される。枠垂直表示信号出力回路５０６から出力された枠垂直表示信号Ｓ１１５は、枠合成回路１１６に入力される。枠合成回路１１６は、枠水平表示信号Ｓ１１２と、枠垂直表示信号Ｓ１１５とを合成し、枠表示を制御する信号Ｓ１１６を出力する。
【００４７】
次に本発明の実施の形態２における、枠水平、垂直表示信号出力回路５０５、５０６について説明する。
図６は、子画面枠の表示例を示すものである。子画面枠を表示する前に、枠水平幅設定値Ｓ１１０と、枠垂直幅設定値Ｓ１１３の値を、予め任意の手段で設定する。設定した２値から、それぞれ枠水平表示信号Ｓ１１２と、枠垂直表示信号Ｓ１１５を生成する。ここでは、枠水平幅設定値Ｓ１１０を「２」と設定する。水平カウンタ値Ｓ１０４は、カウントアップ動作を行う。枠水平表示位置検出回路５０１で子画面表示パルスＳ１０７の立上り時と、立下り時の水平カウンタ値Ｓ１０４の値を保持し、次の親画面垂直同期信号Ｓ１０３が来た時に、枠左端表示位置Ｓ５０１と、枠右端表示位置Ｓ５０２として、枠水平表示信号出力回路５０５に与えられる。ここでは、枠左端表示位置Ｓ５０１を「１０」、枠右端表示位置Ｓ５０２を「２４」とする。水平カウンタ値Ｓ１０４が枠左端表示位置Ｓ５０１の値「１０」に達したら、枠水平表示信号Ｓ１１２はＨレベルになり、そこから枠水平幅設定値Ｓ１１０の値「２」を加算した値「１２」に達したら、枠水平表示信号Ｓ１１２はＬレベルになる。また、枠右端表示位置Ｓ５０２の値「２４」から枠水平幅設定値Ｓ１１０の値「２」を減算した値「２２」に達したら、枠水平表示信号Ｓ１１２はＨレベルになり、枠右端表示位置Ｓ５０２の値「２４」に達したら、枠水平表示信号Ｓ１１２はＬレベルになる。このように、表示ライン毎に枠水平表示信号Ｓ１１２の出力を繰り返すと、子画面の左右の枠が生成される。
【００４８】
枠垂直表示信号Ｓ１１５も枠水平表示信号Ｓ１１２と同様に、垂直カウンタ値Ｓ１０５と枠上端表示位置Ｓ５０３とが一致したら、枠垂直表示信号Ｓ１１５はＨレベルになり、垂直カウンタ値Ｓ１０５と枠上端表示位置Ｓ５０３および枠垂直幅設定値Ｓ１１３の加算した値とが一致したら、枠垂直表示信号Ｓ１１５はＬレベルになる。また、垂直カウンタ値Ｓ１０５と、枠下端表示位置Ｓ５０４から枠垂直幅設定値Ｓ１１３を減算した値とが一致したら、枠垂直表示信号Ｓ１１５はＨレベルになり、垂直カウンタ値Ｓ１０５と枠下端表示位置Ｓ５０４とが一致したら、枠垂直表示信号Ｓ１１５はＬレベルになる。このように枠垂直表示信号Ｓ１１５の出力を繰り返すと、子画面の上下の枠が生成される。
【００４９】
以上のようにして生成された枠表示制御信号Ｓ１１６は、子画面映像の位置が移動された場合、子画面映像が拡大または縮小された場合でも、枠水平／垂直幅設定値Ｓ１１０，Ｓ１１３の２値を変更することなく、さらに子画面映像表示期間を表す子画面表示パルスＳ１０７により生成される。よって、この枠表示制御信号Ｓ１１６を用いることにより、子画面映像が移動、拡大または縮小された時でも、子画面枠をその子画面映像の移動、拡大または縮小に追従して生成することができる。
【００５０】
次に本発明の実施の形態２における、枠水平、垂直表示位置検出回路５０１，５０２について説明する。
枠水平、垂直表示位置検出回路５０１，５０２の機能は、本発明の実施の形態１と同じく、子画面表示パルスＳ１０７とドットクロックＳ１０２との位相差による子画面枠の水平方向のドットすれ現象を防ぐことができるが、本発明の実施の形態１と異なる点は、枠の左上端の位置情報に加えて、右下端の位置情報も保持させている点である。
【００５１】
図７は、本発明の実施の形態２のおける、水平表示位置検出回路５０１のブロック図を示すものである。図７において、７０１は子画面表示パルスＳ１０７から立上りエッジを検出する前エッジ検出回路、Ｓ７０１は前エッジ検出回路７０１から出力される子画面表示前エッジ、７０２は枠表示オン／オフ制御設定値Ｓ１０６を入力して枠の水平表示位置を制御する信号Ｓ７０２を出力する枠水平表示位置制御回路、７０３は論理積回路、Ｓ７０３は子画面表示前エッジＳ７０１と枠水平表示位置制御信号Ｓ７０２とを論理積処理されたカウンタ値保持パルス、７０４はカウンタ値保持パルスＳ７０３のエッジ信号で水平カウンタ値Ｓ１０４の値を保持するカウンタ値保持回路、Ｓ７０４は保持されたカウンタ値、７０５は親画面垂直同期信号Ｓ１０３のタイミングで保持カウンタ値Ｓ７０４を出力する保持カウンタ値出力回路である。また、７０６は子画面表示パルスＳ１０７から立下りエッジを検出する後エッジ検出回路、Ｓ７０６は後エッジ検出回路７０６から出力される子画面表示後エッジ、７０７は枠表示オン／オフ制御設定値Ｓ１０６を入力して枠の水平表示位置を制御する信号Ｓ７０７を出力する枠水平表示位置制御回路、７０８は論理積回路、Ｓ７０８は子画面表示後エッジＳ７０６と枠水平表示位置制御信号Ｓ７０７とを論理積処理されたカウンタ値保持パルス、７０９はカウンタ値保持パルスＳ７０８のエッジ信号で水平カウンタ値Ｓ１０４の値を保持するカウンタ値保持回路、Ｓ７０９は保持されたカウンタ値、７１０は親画面垂直同期信号Ｓ１０３のタイミングで保持カウンタ値Ｓ７０９を出力する保持カウンタ値出力回路である。
【００５２】
以上のように構成された枠水平表示位置検出回路５０１について、以下その動作を図７，８を用いて説明する。
図８は、本発明の実施の形態２による枠水平表示位置検出回路５０１のタイミング図を示すものである。
【００５３】
まず、前エッジ検出回路７０１が子画面表示パルスＳ１０７を入力し、立上りを表す子画面表示前エッジＳ７０１を出力する。枠水平表示位置制御回路７０２は、子画面表示前エッジＳ７０１を入力し、枠水平表示位置制御信号Ｓ７０２を出力する。論理積回路７０３は、枠水平表示位置制御信号Ｓ７０２と子画面表示前エッジＳ７０１とを論理積演算してカウンタ値保持パルスＳ７０３を生成する。カウンタ値保持回路７０４は、このカウンタ値保持パルスＳ７０３が示すエッジタイミングで水平カウンタ値Ｓ１０４の値を保持し、保持カウンタ値Ｓ７０４を出力する。保持カウンタ値出力回路７０５は保持カウンタ値Ｓ７０４を入力し、このカウンタ値を親画面垂直同期信号Ｓ１０３のタイミングで枠左端表示位置Ｓ５０１として出力する。
【００５４】
また、子画面表示パルスＳ１０７は、後エッジ検出回路７０６にも入力される。後エッジ検出回路７０６は、子画面表示パルスＳ１０７を入力して、立下りを表す子画面表示後エッジＳ７０６を出力する。枠水平表示位置制御回路７０７は、子画面表示後エッジＳ７０６を入力し、枠水平表示位置制御信号Ｓ７０７を出力する。枠水平表示位置制御信号Ｓ７０７は、枠表示オン／オフ制御設定値Ｓ１０６が枠表示オフ（Ｌレベル）の時にＨレベルになり、この後の１度目の子画面表示後エッジＳ７０６が来るまでＨレベルを保つようにする。そして、１度目の子画面表示後エッジＳ７０６が来た後Ｌレベルになり、枠表示オン／オフ制御設定値Ｓ１０６が枠表示オフ（Ｌレベル）に設定するまでＬレベルを保つようにする。この動作を繰り返して生成された枠水平表示位置制御信号Ｓ７０７と、子画面表示後エッジＳ７０６とを論理積回路７０７が、論理積演算して、カウンタ値保持パルスＳ７０８を生成する。カウンタ値保持回路７０８は、このカウンタ値保持パルスＳ７０８が示すエッジタイミングで水平カウンタ値Ｓ１０４の値を保持し、保持カウンタ値Ｓ７０９を出力する。保持カウンタ値出力回路７１０は、保持カウンタ値Ｓ７０９を入力し、このカウンタ値を親画面垂直同期信号Ｓ１０３のタイミングで枠右端表示位置Ｓ５０２として出力する。以上のことから、子画面表示後エッジＳ７０６は子画面のライン毎にエッジがあるのに対して、カウンタ値保持パルスＳ７０８は、枠水平表示位置制御信号Ｓ７０７によって子画面の２ライン目以下のエッジをＬレベルに抑えることとなる。これにより、枠表示オン／オフ制御設定値Ｓ１０６を枠表示オフ（Ｌレベル）に設定するまで、枠右端表示位置Ｓ５０２として、常に枠の右端の位置情報を持つことができる。
【００５５】
枠垂直表示位置検出回路５０３も、枠水平表示位置検出回路５０１と同等の動作をし、枠表示オン／オフ制御設定値Ｓ１０６を枠表示オフ（Ｌレベル）に設定するまで、枠下端表示位置Ｓ５０４は常に枠の下端の位置情報を保つ。
【００５６】
以上の動作によって、子画面表示パルスＳ１０７だけで子画面枠の左上端と右下端の位置情報を検出することが出来、子画面表示パルスＳ１０７とドットクロックＳ１０２との位相差による子画面枠の水平方向のドットずれ現象も防ぐことができる。
【００５７】
このような、本実施の形態２による子画面生成回路においては、子画面映像の表示期間を示す子画面表示パルスＳ１０７から、子画面枠の左端、及び右端の位置情報を検出する枠水平表示位置検出回路５０１と、子画面映像の表示期間を示す子画面表示パルスＳ１０７から、子画面枠の上端、及び下端の位置情報を検出する垂直表示位置検出回路５０３と、枠水平表示位置検出回路５０１が検出した位置情報、及び枠水平幅設定値Ｓ１１０に基づいて、水平方向の枠の表示期間を示す枠水平表示信号Ｓ１１２を生成する枠水平表示信号出力回路５０５と、枠垂直表示位置検出回路５０３が検出した位置情報、及び枠垂直幅設定値Ｓ１１３に基づいて、垂直方向の枠の表示期間を示す枠垂直表示信号Ｓ１１５を生成する枠垂直表示信号出力回路５０６とを備えたことから、子画面映像の位置が移動された場合、または子画面映像が拡大若しくは縮小された場合でも、枠水平／垂直幅設定値Ｓ１１０，Ｓ１１３の２値を変更することなく、その子画面映像の移動、拡大または縮小に追従して子画面枠を表示させることができ、さらに、子画面表示パルスＳ１０７とドットクロックＳ１０２との位相差が異なることで生じる子画面枠の水平方向のドットずれ現象も防ぐことができる。
【００５８】
なお、本実施の形態１及び２で説明した枠表示オン／オフ制御設定値Ｓ１０６、枠水平幅設定値Ｓ１１０、子画面横幅設定値Ｓ１１１、枠垂直幅設定値Ｓ１１３、子画面縦幅設定値Ｓ１１４の値を設定する任意の手段として、マイクロコンピュータ等でプログラムによって上記値を設定する手段や、通信装置等で上記値を設定する手段等が考えられる。
【００５９】
【発明の効果】
以上のように、請求項１にかかる子画面枠生成回路は、テレビ画面上の子画面に子画面枠を表示させるための子画面枠生成回路であって、子画面映像の表示期間を示す信号を入力し、この信号から子画面枠の表示位置を検出する枠表示位置検出回路と、上記枠表示位置検出回路が検出した上記子画面枠の表示位置に基づいて、枠表示信号を生成し出力する枠表示信号出力回路とを備えるようにした。これにより、子画面映像の位置が移動された場合でも、その子画面映像の移動に追従して子画面枠を表示させることができる。
【００６０】
また、請求項２にかかる、子画面枠生成回路は、請求項１に記載の子画面枠生成回路において、上記枠表示位置検出回路が、上記子画面映像の表示期間を示す信号から、前記子画面枠の表示位置として、子画面枠の左上端の位置情報を検出するようにした。これにより、前記子画面映像の表示期間を示す信号と子画面枠の表示クロックとの位相差が異なることで生じる子画面枠の水平方向のドットずれ現象を防ぐことができる。
【００６１】
また、請求項３にかかる子画面枠生成回路は、請求項１に記載の子画面枠生成回路において、上記枠表示位置検出回路が、上記子画面映像の表示期間を示す信号から、前記子画面枠の表示位置として、子画面枠の左上端、及び右下端の位置情報を検出するようにした。これにより、前記子画面映像の表示期間を示す信号と子画面枠の表示クロックとの位相差が異なることで生じる子画面枠の水平方向のドットずれ現象を防ぐことができるとともに、子画面映像が移動、拡大または縮小された場合でも、その子画面映像の移動、拡大または縮小に追従して子画面枠を表示させることができる。
【００６２】
また、請求項４にかかる子画面枠生成回路は、請求項１に記載の子画面枠生成回路において、上記枠表示位置検出回路を、上記子画面映像の表示期間を示す信号から、水平方向の枠表示開始位置を検出する枠水平表示位置検出回路と、上記子画面映像の表示期間を示す信号から、垂直方向の枠表示開始位置を検出する枠垂直表示位置検出回路とから構成し、上記枠表示信号出力回路を、上記枠水平表示位置検出回路により検出された枠水平表示開始位置と、外部から入力される枠水平幅設定値および子画面横幅設定値とに基づいて、水平方向の枠表示信号を出力する枠水平表示信号出力回路と、上記枠垂直表示位置検出回路により検出された枠垂直表示開始位置と、外部から入力される枠垂直幅設定値および子画面縦幅設定値とに基づいて、垂直方向の枠表示信号を出力する枠垂直表示信号出力回路と、から構成するようにした。これにより、外部から入力される枠水平幅設定値、子画面横幅設定値、枠垂直幅設定値および子画面縦幅設定値の初期設定だけで、子画面映像の位置が移動した場合でも、その子画面映像に追従して子画面枠を表示させることができる。また、前記子画面映像の表示期間を示す信号と子画面枠の表示クロックとの位相差が異なることで生じる子画面枠の水平方向のドットずれ現象を防ぐことができる。
【００６３】
また、請求項５にかかる子画面枠生成回路は、請求項１に記載の子画面枠生成回路において、上記枠表示位置検出回路を、上記子画面映像の表示期間を示す信号から、水平方向の枠表示開始位置および枠表示終了位置を検出する枠水平表示位置検出回路と、上記子画面映像の表示期間を示す信号から、垂直方向の枠表示開始位置および枠表示終了位置を検出する枠垂直表示位置検出回路とから構成し、上記枠表示信号出力回路を、上記枠水平表示位置検出回路により検出された枠水平表示開始位置および終了位置と、外部から入力される枠水平幅設定値とに基づいて、水平方向の枠表示信号を出力する枠水平表示信号出力回路と、上記枠垂直表示位置検出回路により検出された枠垂直表示開始位置および終了位置と、外部から入力される枠垂直幅設定値とに基づいて、垂直方向の枠表示信号を出力する枠垂直表示信号出力回路と、から構成するようにした。これにより、外部から入力される枠水平幅設定値および枠垂直幅設定値の初期設定だけで、子画面映像の位置が移動された場合、または子画面映像が拡大若しくは縮小された場合でも、その子画面映像の移動、拡大または縮小に追従して子画面枠を表示させることができる。また、前記子画面映像の表示期間を示す信号と子画面枠の表示クロックとの位相差が異なることで生じる子画面枠の水平方向のドットずれ現象を防ぐこともできる。
【図面の簡単な説明】
【図１】本発明の実施の形態１にかかる子画面枠生成回路の構成を示すブロック図である。
【図２】本発明の実施の形態１にかかる子画面枠生成回路が生成する子画面枠の表示例を示す図である。
【図３】本発明の実施の形態１にかかる子画面枠生成回路が有する枠水平表示位置検出回路の構成を示すブロック図である。
【図４】本発明の実施の形態１にかかる子画面枠生成回路が有する枠水平表示位置検出回路の動作タイミングを示す図である。
【図５】本発明の実施の形態２にかかる子画面枠生成回路の構成を示すブロック図である。
【図６】本発明の実施の形態２にかかる子画面枠生成回路が生成する子画面枠の表示例を示す図である。
【図７】本発明の実施の形態２にかかる子画面枠生成回路が有する枠水平表示位置検出回路の構成を示すブロック図である。
【図８】本発明の実施の形態２にかかる子画面枠生成回路が有する枠水平表示位置検出回路の動作タイミングを示す図である。
【図９】従来の子画面枠生成回路の構成を示すブロック図である。
【図１０】従来の子画面枠生成回路が生成する子画面枠の表示例を示す図である。
【図１１】従来の子画面枠生成回路の課題を説明するための子画面枠の表示例を示す図である。
【符号の説明】
１００，５００，９００  子画面枠生成回路
１０４  ドットクロックカウンタ回路
１０５  表示ラインカウンタ回路
１０８，５０１  枠水平表示位置検出回路
１０９，５０３  枠垂直表示位置検出回路
１１２，５０５，９０２  枠水平表示信号出力回路
１１５，５０６，９０４  枠垂直表示信号出力回路
１１６  枠合成回路
３０１  前エッジ検出回路
３０２  枠水平表示位置制御回路
３０３  論理積回路
３０４  カウンタ値保持回路
７０１  前エッジ検出回路
７０２，７０７  枠水平表示位置制御回路
７０３，７０８  論理積回路
７０４，７０９  カウンタ値保持回路
７０５，７１０  保持カウンタ値出力回路
７０６  後エッジ検出回路
【図１】
2004221788.tif 000003
【図２】
2004221788.tif 000004
【図３】
2004221788.tif 000005
【図４】
2004221788.tif 000006
【図５】
2004221788.tif 000007
【図６】
2004221788.tif 000008
【図７】
2004221788.tif 000009
【図８】
2004221788.tif 000010
【図９】
2004221788.tif 000011
【図１０】
2004221788.tif 000012
【図１１】
2004221788.tif 000013